(57)【要約】【課題】対象物が懸架される吊り具に対して過度な外力が加えられた場合であっても、当該吊り具および対象物の損壊を回避することが可能な吊り下げ構造を実現する。【解決手段】壁面１０に取り付けられる基部１１０と、基部１１０の表面に対して突出しハンド形子機２０が懸架される突出部１２４を有するフック１２０とを備え、フック１２０の下部を、基部１１０から離間する方向に回動可能に軸支するとともに、フック１２０の上部に、基部１１０に対して着脱可能なツメ部１２８を設けることにより、フック１２０に対して回動可能な方向に過度な外力が加えられた場合、フック１２０が基部１１０から離間する方向に回動して倒れることで、外力を逃がすことができるようにするとともに、フック１２０に対して回動できない方向に過度な外力が加えられた場合、フック１２０の上部および下部に外力を分散することができるようにする。【選択図】図４
2015150360.tif 000002
【特許請求の範囲】
【請求項１】
壁面に取り付けられる基部と、
前記基部の表面に対して突出した突出部を有しており、当該突出部に対象物が懸架される吊り具と、
を備え、
前記吊り具の下部は、前記基部の表面から離間する方向へ回動できるように、前記基部によって軸支されており、
前記吊り具の上部には、前記基部に対して着脱可能な着脱部が設けられている
ことを特徴とする吊り下げ装置。
【請求項２】
前記突出部の先端には、係止面が形成されており、
前記係止面は、
前記吊り具が前記基部の表面側に回動して折り畳まれた状態において、前記対象物の水平方向への移動経路を遮断し、
前記吊り具が前記基部の表面から離間する方向に回動して倒れた状態において、前記対象物の水平方向への移動経路を開放する
ことを特徴とする請求項１に記載の吊り下げ装置。
【請求項３】
前記係止面は、
前記吊り具が前記基部の表面側に回動して折り畳まれた状態において、垂直状態となって、前記対象物の水平方向への移動経路を遮断し、
前記吊り具が前記基部の表面から離間する方向に回動して倒れた状態において、前記垂直状態から９０度以上倒れた状態となって、前記対象物の水平方向への移動経路を開放する
ことを特徴とする請求項２に記載の吊り下げ装置。
【請求項４】
請求項１から３のいずれか一項に記載の吊り下げ装置を備えた
ことを特徴とするフック機能付きウォールユニット。
【発明の詳細な説明】
【技術分野】
【０００１】
本発明は、対象物を壁面から吊り下げるための吊り下げ装置およびフック機能付きウォールユニットに関する。特に、本発明は、ベッドサイド等において患者が看護師等を呼び出すためのナースコール子機を壁面に吊り下げるためのフック機能付きウォールユニットへの利用に好適なものである。
【背景技術】
【０００２】
一般に、病院や介護施設などでは、ナースコールシステムが用いられている。ナースコールシステムは、病院の患者が医師や看護師のサポートを必要とする際、または介護施設の被介護者が介護師のサポートを必要とする際に、患者や被介護者（以下、単に「患者」と言う）が呼出ボタン等を押下することによって医師や看護師、介護師（以下、単に「看護師」と言う）を呼び出すことができるように成されたシステムである。
【０００３】
多くのナースコールシステムは、ベッドサイドやトイレ、浴室などの壁面に設置するウォールユニットと、ウォールユニットに接続するナースコール子機と、ナースセンタに設置するナースコール親機と、病室や介護室等の各部屋の入口付近に設置する廊下灯とを備えて構成されている。
【０００４】
この種のナースコールシステムにおいて、患者がナースコール子機の呼出ボタンを押下して呼び出しを行うと、呼び出しが行われたことがナースコール親機にて報知される。看護師は、ナースコール親機のハンドセット等によって応答する。また、患者が呼び出しを行うと、呼び出しが行われたことが廊下灯にも表示されるので、廊下を歩いている看護師が廊下灯の応答ボタンを押下して対応することもある。
【０００５】
一般的に、緊急時に患者が直ちにナースコール子機を使用することができるように、ナースコール子機は、使用されていないときには、ベッドサイド等の壁面に吊り下げられる。このため、従来のナースコールシステムでは、ナースコール子機を壁面に吊り下げることが可能な、フック機能付きウォールユニットが利用されている。
【０００６】
一般的なフック機能付きウォールユニットでは、フックが固定式であり、フックの姿勢変化ができないように構成されている。そのため、例えば、フックに懸架されたナースコール子機が無理に引っ張られた場合（例えば、ナースコール子機のコードをベッドの手すりに括り付けた状態のまま、ベッドを移動させると、ナースコール子機がベッドによって無理に引っ張られてしまう）、ウォールユニットのフックおよびナースコール子機のハンガーに過度な外力が加わり、フックまたはハンガーの損壊を招く虞がある。
【０００７】
このような問題を回避するための一手段として、可動式のフックを用いることが考えられる。例えば、下記特許文献１には、天井面に取り付けられたレールと、当該レールに着脱自在に取り付けられる吊り具とを備えて構成された、吊り下げ装置が開示されている。当該吊り下げ装置においては、吊り具を構成するフック部材が枢軸によって回転自在に枢着されている。これにより、フック部材が、天井面に対して折り畳まれた状態（天井面に対して略平行な状態）と、天井面からぶら下がった状態（天井面に対して略垂直な状態）との間で、姿勢変化ができるように構成されている。
【０００８】
【特許文献１】特開２００４−２８６１６７号公報
【発明の概要】
【発明が解決しようとする課題】
【０００９】
しかしながら、上記特許文献１に記載の吊り下げ装置では、フック部材が枢軸のみによって支持される構成を採用している。そのため、例えば、フック部材に懸架された対象物が無理に引っ張られる等により、フック部材に対して、当該フック部材が回動できない方向（具体的には、当該フック部材を軸支する枢軸に対して垂直な方向、および、平行な方向）に過度な外力が加えられた場合、当該外力が枢軸に集中し、当該枢軸部分の損壊を招く虞がある。
【００１０】
本発明は、このような問題を解決するために成されたものであり、対象物が懸架される吊り具に対して過度な外力が加えられた場合であっても、当該吊り具および対象物の損壊を回避することが可能な吊り下げ構造を実現することを目的とする。
【課題を解決するための手段】
【００１１】
上記した課題を解決するために、本発明の吊り下げ装置は、壁面に取り付けられる基部と、基部の表面に対して突出し対象物を懸架可能に構成された突出部を有する吊り具とを備えている。特に、本発明の吊り下げ装置において、吊り具の下部を、基部の表面から離間する方向へ回動できるように、基部によって軸支している。また、吊り具の上部には、基部に対して着脱可能な着脱部を設けている。
【発明の効果】
【００１２】
上記のように構成された本発明の吊り下げ装置によれば、吊り具を壁面方向に回動させて折り畳まれた状態とし、着脱部によって吊り具の上部を基部に固定させた状態にして、突出部に対象物を懸架させることができる。この状態において、例えば、懸架された対象物が無理に引っ張られる等により、吊り具に対して、当該吊り具が回動可能な方向（壁面から離間する方向）に過度な外力が加えられた場合であっても、着脱部が基部から外れて、吊り具が回動することで、外力を逃がすことができる。したがって、吊り具および対象物の損壊を回避することができる。
【００１３】
また、本発明の吊り下げ装置によれば、吊り具に対象物が懸架された状態で、吊り具に対して、当該吊り具が回動できない方向（例えば、壁面に対して平行な方向）に過度な外力が加えられた場合、着脱部が基部から外れることなく、吊り具の上部の着脱部および下部の軸支部分に外力を分散することができる。これにより、吊り具の軸支部分に集中的に過度な外力が加わらないようにして、吊り具の軸支部分の損壊を回避することができる。
【図面の簡単な説明】
【００１４】
【図１】本発明の一実施形態に係るウォールユニットの外観斜視図である。
【図２】本発明の一実施形態に係る吊り下げ装置（フックが折り畳まれた状態）の側面図である。
【図３】本発明の一実施形態に係る吊り下げ装置（フックが倒れた状態）の側面図である。
【図４】本発明の一実施形態に係る吊り下げ装置（ハンド形子機が懸架された状態）の側面図である。
【図５】本発明の一実施形態に係る吊り下げ装置（ハンド形子機が引っ張られた状態）の側面図である。
【発明を実施するための形態】
【００１５】
以下、本発明の一実施形態を図面に基づいて説明する。
【００１６】
〔ウォールユニットの概要〕
まず、図１を参照して、本実施形態に係るウォールユニット１００の概要について説明する。図１は、本実施形態に係るウォールユニット１００の外観斜視図である。図１に示すウォールユニット１００は、病棟内において、ベッドサイドやトイレ、浴室等の壁面に設置される装置である。特に、ウォールユニット１００は、対象物の一例としてナースコール子機を接続および懸架することが可能な、フック機能付きウォールユニットである。
【００１７】
図１に示すように、ウォールユニット１００は、基部１１０、フック１２０（特許請求の範囲の吊り具に相当）、差込口１３０、およびカバー１４０を備えて構成されている。基部１１０およびフック１２０は、ナースコール子機を吊り下げるための吊り下げ装置１００Ａを構成する。
【００１８】
基部１１０は、その表面が壁面に沿って壁面と平行に配置されるように、壁面に取り付けられる板状の部材である。フック１２０は、基部１１０の表面に取り付けられている。フック１２０は、基部１１０の表面から突出しており、ナースコール子機が懸架される。
【００１９】
差込口１３０は、基部１１０の表面から露出している。差込口１３０には、ナースコール子機による各種信号の送受信を可能とするため、ナースコール子機のコードの先端に設けられたコネクタが挿し込まれる。カバー１４０は、基部１１０の周辺を覆うことにより、ウォールユニット１００の外観を整える。例えば、壁面に形成された開口内に基部１１０が埋設される場合、基部１１０の周囲に壁面の開口が露出してしまうことがある。この場合、カバー１４０によって、基部１１０の周囲を覆うことにより、壁面の開口を隠しつつ、ウォールユニット１００の外観を整えることができる。
【００２０】
〔吊り下げ装置の詳細な構成〕
次に、図２および図３を参照して、本実施形態に係る吊り下げ装置１００Ａの詳細な構成について説明する。図２および図３は、本実施形態に係る吊り下げ装置１００Ａの側面図である。特に、図２は、フック１２０が基部１１０の表面側に折り畳まれた状態の吊り下げ装置１００Ａを示している。一方、図３は、フック１２０が基部１１０の表面から離間する方向に倒れた状態の吊り下げ装置１００Ａを示している。
【００２１】
（フック１２０）
図２に示すように、基部１１０の表面に取り付けられたフック１２０は、座面１２２、突出部１２４、係止面１２６、およびツメ部１２８を備えて構成されている。座面１２２は、フック１２０が折り畳まれた状態（図２に示す状態）において、基部１１０の表面と平行となり、且つ、基部１１０の表面と密着する面である。突出部１２４は、座面１２２の表面から突出した柱状の部分であって、ナースコール子機のハンガー部が懸架される部分である。
【００２２】
係止面１２６は、突出部１２４の先端（図中ｙ軸正側の端部）に設けられている平面である。係止面１２６は、フック１２０が折り畳まれた状態において、垂直状態となる。係止面１２６は、突出部１２４の先端面が当該係止面１２６内に収まるように、突出部１２４の先端面よりも拡大されたサイズを有している。すなわち、係止面１２６は、突出部１２４の先端面と同一平面上において、当該先端面よりも外側に張り出している。係止面１２６は、この張り出した部分により、突出部１２４に懸架されたナースコール子機のハンガー部の、水平方向（図中ｙ軸正方向）への抜け落ちを係止することが可能となっている。
【００２３】
なお、本実施形態の係止面１２６は、突出部１２４の端面から、その周囲の各方向に張り出しているが、これに限らない。係止面１２６は、少なくとも、フック１２０が折り畳まれた状態において、突出部１２４の先端面から上方（図中ｚ軸正方向）に張り出している部分を有していれば、突出部１２４に懸架されたナースコール子機の抜け落ちを係止することが可能である。
【００２４】
（着脱構造）
フック１２０の上部には、着脱部の一例として、ツメ部１２８が設けられている。具体的には、ツメ部１２８は、座面１２２の上部かつ基部１１０の表面と対向する位置に、座面１２２から突出して設けられている。特に、本実施形態では、座面１２２の左右方向（図中ｘ軸方向）における中央部に、ツメ部１２８が１つ設けられている。基部１１０の表面には、ツメ部１２８と対向する位置に、開口部１１２が形成されている。
【００２５】
ツメ部１２８は、開口部１１２に対し、着脱自在に嵌合することが可能となっている。具体的には、開口部１１２の入り口には、係合部１１８が形成されている。フック１２０が基部１１０側に折り畳まれると、ツメ部１２８は、係合部１１８と当接することによって上方（図中ｚ軸正方向）から押圧される。これにより、ツメ部１２８は、下方（図中ｚ軸負方向）に反りつつ、開口部１１２内に押し込められる。そして、ツメ部１２８は、開口部１１２内に完全に挿入されると、反りが解消し、図２に示すように係合部１１８に係合した状態となる。これにより、開口部１１２からのツメ部１２８の抜け落ちが防止される。
【００２６】
なお、係合部１１８およびツメ部１２８は、フック１２０に対して、壁面１０から離間する方向（図中ｙ軸正方向）に過度な外力が加えられると、係合部１１８とツメ部１２８との係合が解除されるように、両者の係合の度合いが適切に調整されている。但し、係合部１１８およびツメ部１２８は、フック１２０にナースコール子機のハンガー部が懸架されたときに、ナースコール子機の自重によって、両者の係合が解除されることがないように、両者の係合の度合いが適切に調整されている。
【００２７】
また、ウォールユニット１００を正面から見たとき、開口部１１２の横幅（図中ｘ軸方向の幅）は、ツメ部１２８の横幅（図中ｘ軸方向の幅）よりも僅かだけ大きくなっている。これにより、開口部１１２内に挿入されたツメ部１２８は、開口部１１２内において左右方向（図中ｘ軸方向）に大きく移動しないようになっている。これにより、フック１２０に対して、左右方向（図中ｘ軸方向）に過度な外力が加えられた場合であっても、ツメ部１２８の移動は開口部１１２内での僅かな距離に制限される。このため、ツメ部１２８が開口部１１２から容易に外れることはなく、フック１２０の上部のツメ部１２８および下部の軸支部分に外力を分散させることができる。これにより、フック１２０の軸支部分に集中的に過度な外力が加わらないようにして、フック１２０の軸支部分の損壊を回避することができる。なお、ツメ部１２８および開口部１１２の横幅は、任意の大きさであってよいが、できる限り幅広であることが好ましい。これにより、ツメ部１２８の左右方向への破壊に対する強度を高めることができる。このため、フック１２０に対して左右方向により大きな外力が加わった場合であっても、フック１２０の軸支部分に集中的に過度な外力が加わらないようにして、フック１２０の軸支部分の損壊を回避することができる。
【００２８】
（回動構造）
基部１１０の表面には、軸受部１１４およびシャフト１１６が設けられている。シャフト１１６は、基部１１０の表面に沿って、水平方向（図中ｘ軸方向）に延伸する軸部である。軸受部１１４は、シャフト１１６を支持する部分である。
【００２９】
フック１２０の下部は、シャフト１１６によって回動可能に軸支されている。「フック１２０の下部」とは、フック１２０を回動可能に軸支できる部分であり、具体的には、座面１２２の下端部である。これにより、フック１２０が折り畳まれた状態（図２に示す状態）から、係合部１１８とツメ部１２８との係合が解除されると、フック１２０は、シャフト１１６を軸として、壁面１０から離間する方向（図中ｙ軸正方向）に回動することが可能となる。そして、フック１２０は、図３に示すように、壁面１０から離間する方向（図中ｙ軸正方向）に倒れた状態となることができる。
【００３０】
図３に示す例では、フック１２０が９０度倒れた状態で、フック１２０の係止面１２６の下端部が基部１１０の表面に突き当たり、フック１２０の回動が停止する。これにより、フック１２０は、９０度倒れた状態を維持する。これに限らず、フック１２０は、９０度以上倒れるように構成してもよい。また、フック１２０は、９０度以上倒れた状態で、フック１２０の一部が基部１１０と当接して、フック１２０の回動が停止することにより、フック１２０が９０度以上倒れた状態を維持する構成としてもよい。
【００３１】
〔対象物の懸架例〕
次に、図４および図５を参照して、フック１２０にナースコール子機を懸架する例を説明する。
【００３２】
図４および図５は、本発明の一実施形態に係る吊り下げ装置１００Ａの側面図である。特に、図４は、フック１２０が折り畳まれた状態であり、ハンド形子機２０が懸架された状態の吊り下げ装置１００Ａを示している。一方、図５は、ハンド形子機２０によってフック１２０が引っ張られたことにより、フック１２０が倒れた状態となった吊り下げ装置１００Ａを示している。
【００３３】
（ハンド形子機２０）
図４および図５に示すハンド形子機２０は、ナースコール子機の一例である。ハンド形子機２０は、ハンガー部２２、呼出ボタン２４、およびコード２６を備えている。ハンガー部２２は、ハンド形子機２０の上部に設けられており、環状をなしている。呼出ボタン２４は、ハンド形子機２０の表面に設けられている。ハンド形子機２０は、患者によって呼出ボタン２４が押下されると、ナースコールを発信する。コード２６は、ハンド形子機２０が送受信する各種信号（例えば、ナースコール信号、音声信号等）の伝送経路であり、ハンド形子機２０の下部から引き出されている。コード２６の先端には、コネクタ（図示省略）が設けられている。当該コネクタが差込口１３０に挿し込まれることにより、ハンド形子機２０は、ナースコール親機に対して、各種信号を送受信することが可能となる。
【００３４】
図４に示すように、フック１２０が折り畳まれた状態では、フック１２０の突出部１２４は、水平方向に突出した状態となる。そして、突出部１２４の上方は、開放されている。これにより、ハンド形子機２０のハンガー部２２を、上方から突出部１２４に懸架することができる。このとき、フック１２０は、その上部において、ツメ部１２８が基部１１０の開口部１１２に嵌合し、係合部１１８と係合している。また、フック１２０は、その下部において、基部１１０によって軸支されている。すなわち、フック１２０は、その上部および下部の双方において、基部１１０によって支持されている。このため、フック１２０は、基部１１０の表面に確実に固定され、ハンド形子機２０を安定的に吊持することが可能となっている。また、図４において、突出部１２４の先端部に設けられた係止面１２６は、垂直状態となっている。これにより、突出部１２４に懸架されたハンガー部２２の、基部１１０から離間する方向への移動経路は遮断される。このため、この状態で、ハンド形子機２０は、基部１１０から離間する方向に容易に抜け落ちないようになっている。
【００３５】
一方、図５の矢印Ｂに示すように、ハンド形子機２０が壁面１０から離間する方向に引っ張られると、ハンド形子機２０のハンガー部２２が係止面１２６に引っ掛かった状態のまま、ハンド形子機２０によって、フック１２０に対して壁面１０から離間する方向に過度な外力が加えられる。これにより、フック１２０のツメ部１２８と基部１１０の係合部１１８との係合が解除される。そして、フック１２０は、図５の矢印Ａに示すように、シャフト１１６を軸として、壁面１０から離間する方向に回動する。そして、図５に示すように、フック１２０の係止面１２６の下端部が基部１１０の表面と当接する。これにより、フック１２０は、９０度倒れた状態を維持する。
【００３６】
このとき、図５に示すように、フック１２０の突出部１２４は、垂直状態となる。これにより、突出部１２４に懸架されていたハンガー部２２は、突出部１２４から滑り落ちる。また、突出部１２４の先端に設けられている係止面１２６は、水平状態となる。すなわち、突出部１２４に懸架されたハンガー部２２の、基部１１０から離間する方向への移動経路は開放される。これにより、基部１１０から離間する方向へ引っ張られたハンド形子機２０は、壁面１０から離間する方向に、フック１２０から引き抜かれることとなる。特に、係止面１２６は、その端部に至るまで全体的に平滑な平面である。このため、ハンド形子機２０は、係止面１２６に引っ掛かることなく、容易に抜け落ちることが可能である。
【００３７】
なお、図２および図４に示すように、フック１２０が折り畳まれた状態において、係止面１２６が垂直状態となることが好ましい。この場合、フック１２０からのハンド形子機２０の抜け落ち防止効果をより高めることができる。また、図３および図５に示すように、フック１２０が倒れた状態において、係止面１２６が９０度以上倒れた状態となることが好ましい。この場合、フック１２０へのハンド形子機２０の抜け落ち容易性をより高めることができる。
【００３８】
なお、係止面１２６は、フック１２０が倒れた状態において、ハンド形子機２０がフック１２０から容易に抜け落ちることが可能な形状であればよく、平面状に限らない。例えば、係止面１２６は、フック１２０が倒れた状態において、端部に向かって下方または上方に傾斜した傾斜面であってもよい。また、係止面１２６は、フック１２０が倒れた状態において、端部に向かって下方または上方に湾曲した湾曲面であってもよい。
【００３９】
以上説明したとおり、本実施形態の吊り下げ装置１００Ａは、フック１２０の上部および下部の双方を、基部１１０によって支持する構成を採用している。特に、本実施形態の吊り下げ装置１００Ａは、フック１２０がその下部を支点として回動できるように、フック１２０の上部をツメ部１２８によって基部１１０から着脱可能とし、且つ、フック１２０の下部を基部１１０によって軸支する構成を採用している。
【００４０】
このため、本実施形態の吊り下げ装置１００Ａによれば、フック１２０が回動可能な構成でありながら、フック１２０がその上部および下部において確実に基部１１０に固定された状態で、フック１２０にハンド形子機２０を懸架することができる。したがって、ハンド形子機２０を安定的に吊持することができる。
【００４１】
また、本実施形態の吊り下げ装置１００Ａによれば、例えば懸架されたハンド形子機２０のコード２６が無理に引っ張られる等により、フック１２０に対して、当該フック１２０が回動可能な方向（壁面１０から離間する方向）に過度な外力が加えられた場合、フック１２０の上部にあるツメ部１２８が基部１１０から外れて、フック１２０が回動することで、過度に加えられた外力を逃がすことができる。したがって、フック１２０およびハンド形子機２０のハンガー部２２の損壊を回避することができる。
【００４２】
また、本実施形態の吊り下げ装置１００Ａによれば、フック１２０が基部１１０から離間する方向に回動して倒れた状態においては、係止面１２６によるハンガー部２２の係止が解除され、フック１２０からハンド形子機２０が容易に抜け落ちるようにすることができる。これにより、フック１２０が倒れた状態で、さらにハンド形子機２０が引っ張られたときに、ハンド形子機２０がフック１２０に引っ掛かってしまうことを防止することができる。したがって、フック１２０およびハンド形子機２０の損壊を回避することができる。
【００４３】
また、本実施形態の吊り下げ装置１００Ａによれば、フック１２０が折り畳まれた状態において、フック１２０がその上部および下部において確実に基部１１０に固定される。このため、例えば、フック１２０が折り畳まれた状態において、フック１２０に対して、当該フック１２０が回動できない方向（例えば、フック１２０の回動軸であるシャフト１１６と平行な方向）に過度な外力が加えられた場合であっても、ツメ部１２８が基部１１０から容易に外れることはなく、フック１２０の上部のツメ部１２８および下部の軸支部分に外力を分散させることができる。これにより、フック１２０の軸支部分に集中的に過度な外力が加わらないようにして、フック１２０の軸支部分の損壊を回避することができる。
【００４４】
さらに、本実施形態の吊り下げ装置１００Ａによれば、フック１２０の下部が基部１１０に連結されているため、フック１２０が基部１１０から完全に取り外されてしまうことはない。したがって、例えば、患者がフック１２０を誤って口内に入れてしまう等の問題を防止することができる。また、フック１２０を紛失してしまう等の問題を防止することができる。
【００４５】
なお、上記実施形態では、フック１２０に懸架される対象物の一例として、ハンド形子機２０を用いたが、対象物はこれに限らない。懸架可能な構造を有しているものであれば、フック１２０に懸架することが可能である。ハンド形子機２０以外の対象物を用いた場合も、ハンド形子機２０を用いた上記実施形態と同様の効果を奏することができる。
【００４６】
また、上記実施形態では、基部１１０に着脱可能な着脱部の一例として、ツメ部１２８を、フック１２０の上下方向における上部且つ左右方向における中央部に１つ設ける例を説明したが、着脱部の構成、数および配置は、これに限らない。
【００４７】
例えば、フック１２０には、着脱部が複数設けられていてもよい。これにより、フック１２０が折り畳まれた状態において、基部１１０の表面に対し、より確実にフック１２０を固定することができる。また、フック１２０に対して、当該フック１２０が回動できない方向に外力が加えられたとき、当該外力をフック１２０の広範囲に分散することができる。これにより、フック１２０の軸支部分にかかる外力をより軽減することができる。
【００４８】
また、着脱部は、少なくとも、フック１２０の回動軸であるシャフト１１６よりも上側の部分であれば、いずれの場所に設けられてもよい。但し、着脱部は、シャフト１１６からある程度上方に離間した位置に設けられることが好ましい。これにより、フック１２０に対して、当該フック１２０が回動できない方向に外力が加えられたとき、当該外力をフック１２０の広範囲に分散することができる。
【００４９】
また、着脱部には、ツメ部１２８以外の構成を用いてもよい。例えば、ツメ部１２８の代わりに、座面１２２から基部１１０の表面に向かって突出した磁石を用いるとともに、当該磁石を収容可能かつ磁着可能に開口部１１２を構成してもよい。この場合も、フック１２０に対して基部１１０から離間する方向に過度な外力が加えられたときには、開口部１１２から磁石が外れて、フック１２０を基部１１０から離間する方向へ回動させることにより、外力を逃がすことができる。したがって、フック１２０およびナースコール子機の損壊を回避することができる。また、フック１２０に対して回動できない方向に過度な外力が加えられた場合であっても、磁石の移動は開口部１１２内に制限される。このため、磁石が開口部１１２から容易に外れることはなく、フック１２０の上部および下部に外力を分散させることができる。したがって、フック１２０の損壊を回避することができる。
【００５０】
また、上記実施形態では、フックの座面１２２に凸状の部分（ツメ部１２８）を設け、基部１１０の表面に凹状の部分（開口部１１２）を設け、両者が互いに嵌合する構成を用いたが、これに限らない。例えば、フックの座面１２２に凹状の部分（実施形態の開口部１１２に相当）を設け、基部１１０の表面に凸状の部分（実施形態のツメ部１２８に相当）を設け、両者が互いに嵌合する構成としてもよい。
【００５１】
また、上記実施形態では、フック機能付きウォールユニットの一例として、差込口１３０を有するウォールユニット１００を用いたが、本発明の適用対象はこれに限らない。例えば、本発明は、差込口を有しないウォールユニットに適用することもできる。また、本発明は、他の機器（例えば、マイク、スピーカ、照明、スイッチ等）を有するウォールユニットに適用することもできる。
【００５２】
なお、上記実施形態では、ウォールユニット１００を壁面に設置する場合について説明したが、ウォールユニット１００は、天井面に設置することも可能である。この場合、フック１２０が天井面から離間する方向に回動して倒れた状態（天井面に対して垂直な状態）において、フック１２０の突出部１２４が水平状態となる。このため、この状態において、突出部１２４にハンド形子機２０を懸架することが可能である。
【００５３】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００５４】
１０  壁面
２０  ハンド形子機（対象物）
２２  ハンガー部
２４  呼出ボタン
２６  コード
１００  ウォールユニット
１００Ａ  吊り下げ装置
１１０  基部
１１２  開口部
１１４  軸受部
１１６  シャフト
１２０  フック（吊り具）
１２２  座面
１２４  突出部（突出部）
１２６  係止面
１２８  ツメ部（着脱部）
１３０  差込口
１４０  カバー
【図１】
2015150360.tif 000003
【図２】
2015150360.tif 000004
【図３】
2015150360.tif 000005
【図４】
2015150360.tif 000006
【図５】
2015150360.tif 000007